(57)【要約】【目的】従来技術では、１ドット以下の精度で記録媒体を搬送する必要があり、高精度な搬送モータや記録媒体の位置を高精度に検出する技術が必要であり、装置のコストが増大するという課題があった。そこで本発明は、コスト増を抑えつつ、記録媒体の搬送を一時停止することに伴って所定の画像の画像品位が低下することを抑制する。【構成】搬送される記録媒体に画像記録を行う記録手段と、搬送中の記録媒体への前記記録手段による記録が途中で停止される記録位置の画像が所定の画像となる場合に、前記所定の画像を前記記録位置から外れるように変更する変更手段と、を有する画像記録装置である。【選択図】        図６
2019022945.tif 000002
【特許請求の範囲】
【請求項１】
搬送される記録媒体に画像記録を行う記録手段と、
搬送中の記録媒体への前記記録手段による記録が途中で停止される記録位置の画像が所定の画像となる場合に、前記所定の画像を前記記録位置から外れるように変更する変更手段と、
を有することを特徴とする画像記録装置。
【請求項２】
前記記録位置の画像が前記所定の画像となるか否かの判定結果を取得する取得手段を更に有し、
前記取得手段により前記記録位置の画像が前記所定の画像となることが取得された場合に、前記変更手段は前記変更を行うことを特徴とする請求項１に記載の画像記録装置。
【請求項３】
前記変更手段による前記変更は、記録する画像全体を回転させる処理、前記所定の画像の位置を前記搬送の方向または前記搬送と逆方向に移動させる処理、前記所定の画像を縮小する処理のうち少なくとも１つを含むことを特徴とする請求項１または２に記載の画像記録装置。
【請求項４】
画像記録済みの記録媒体を切断するカッターユニットをさらに有し、
搬送中の記録媒体への前記記録手段による記録が途中で停止されるのは、記録済みの記録媒体が前記カッターユニットによって切断される時であり、
前記記録位置は、前記カッターユニットと前記記録手段との距離に基づいて設定されることを特徴とする請求項１乃至３のいずれか１項に記載の画像記録装置。
【請求項５】
前記所定の画像は、読取装置で読み取る情報が付与された画像を含むことを特徴とする請求項１乃至４のいずれか１項に記載の画像記録装置。
【請求項６】
前記所定の画像は、顔写真の画像を含むことを特徴とする請求項１乃至５のいずれか１項に記載の画像記録装置。
【請求項７】
搬送される記録媒体に対し記録手段により画像記録を行う画像記録装置に画像を送信する情報処理装置であって、
前記画像記録装置で搬送中の記録媒体への記録が途中で停止される記録位置の画像が所定の画像となる場合に、前記所定の画像を前記記録位置から外れるように変更する変更手段、
を有することを特徴とする情報処理装置。
【請求項８】
前記記録位置の画像が前記所定の画像となるか否かを判定する判定手段を更に有し、
前記判定手段により前記記録位置の画像が前記所定の画像となることが判定された場合に、前記変更手段は前記変更を行うことを特徴とする請求項７に記載の情報処理装置。
【請求項９】
前記変更手段による前記変更は、送信する画像全体を回転させる処理、前記所定の画像の位置を前記搬送の方向または前記搬送と逆方向に移動させる処理、前記所定の画像を縮小する処理のうち少なくとも１つを含むことを特徴とする請求項７または８に記載の情報処理装置。
【請求項１０】
前記画像記録装置で搬送中の記録媒体への前記記録手段による記録が途中で停止されるのは、記録済みの記録媒体が前記画像記録装置に備えられたカッターユニットによって切断される時であり、
前記記録位置は、前記カッターユニットと前記記録手段との距離に基づいて設定されることを特徴とする請求項７乃至９のいずれか１項に記載の情報処理装置。
【請求項１１】
前記所定の画像は、読取装置で読み取る情報が付与された画像を含むことを特徴とする請求項７乃至１０のいずれか１項に記載の情報処理装置。
【請求項１２】
前記所定の画像は、顔写真の画像を含むことを特徴とする請求項７乃至１１のいずれか１項に記載の情報処理装置。
【請求項１３】
搬送される記録媒体に対し記録手段により画像記録を行う画像記録装置と、前記画像記録装置に画像を送信する情報処理装置とで構成される画像記録システムであって、
搬送中の記録媒体への前記記録手段による記録が途中で停止される記録位置の画像が所定の画像となる場合に、前記所定の画像を前記記録位置から外れるように変更する変更手段を有する
ことを特徴とする画像記録システム。
【請求項１４】
前記情報処理装置は、前記記録位置の画像が前記所定の画像となるか否かを判定する判定手段を更に有し、
前記判定手段により前記記録位置の画像が前記所定の画像となることが判定された場合に、前記変更手段は前記変更を行うことを特徴とする請求項１３に記載の画像記録システム。
【請求項１５】
前記変更手段は、前記情報処理装置が有することを特徴とする請求項１３または１４に記載の画像記録システム。
【請求項１６】
前記変更手段は、前記画像記録装置が有することを特徴とする請求項１３または１４に記載の画像記録システム。
【請求項１７】
前記画像記録装置は、前記判定手段による前記記録位置の画像が前記所定の画像となるか否かの判定結果を取得する取得手段を更に有し、
前記取得手段により前記記録位置の画像が前記所定の画像となることが取得された場合に、前記変更手段は前記変更を行うことを特徴とする請求項１６に記載の画像記録装置。
【請求項１８】
前記変更手段による前記変更は、画像全体を回転させる処理、前記所定の画像の位置を前記搬送の方向または前記搬送と逆方向に移動させる処理、前記所定の画像を縮小する処理のうち少なくとも１つを含むことを特徴とする請求項１３乃至１７のいずれか１項に記載の画像記録システム。
【請求項１９】
前記画像記録装置は、画像記録済みの記録媒体を切断するカッターユニットを更に有し、
搬送中の記録媒体への前記記録手段による記録が途中で停止されるのは、記録済みの記録媒体が前記カッターユニットによって切断される時であり、
前記記録位置は、前記カッターユニットと前記記録手段との距離に基づいて設定されることを特徴とする請求項１３乃至１８のいずれか１項に記載の画像記録システム。
【請求項２０】
前記所定の画像は、読取装置で読み取る情報が付与された画像を含むことを特徴とする請求項１３乃至１９のいずれか１項に記載の画像記録システム。
【請求項２１】
前記所定の画像は、顔写真の画像を含むことを特徴とする請求項１３乃至２０のいずれか１項に記載の画像記録システム。
【請求項２２】
搬送される記録媒体に記録される画像を作成する画像作成方法であって、
搬送中の記録媒体への記録が途中で停止される記録位置の画像が所定の画像となる場合に、前記所定の画像を前記記録位置から外れるように変更する、
ことを特徴とする画像作成方法。
【発明の詳細な説明】
【技術分野】
【０００１】
本発明は、記録媒体に画像を記録すると共に画像の記録を途中で停止させることが可能な画像記録装置、情報処理装置、画像記録システム、および画像作成方法に関する。
【背景技術】
【０００２】
画像記録装置による記録媒体への画像記録の途中で、カッターで連続紙の切断を行う場合や、記録媒体へのデータの書き込みを行うために画像記録を一時停止させる場合がある。このような場合、記録媒体を停止させる時の停止位置のばらつきや、カッターによる切断時に記録媒体がカッター方向にわずかに引っ張られることによる位置ズレが発生することで、一時停止の前後で画像に隙間（白抜け）が発生することがある。このような白抜けが、読取装置等で読み取られることを前提としたオブジェクト、具体的にはバーコードで発生する場合には、読取装置での画像認識率が低下する可能性がある。また、読み取りを前提としない場合でも、顔写真データなど高品位な画像が要求される場合は、白抜けによる画像品位の低下を抑制する必要がある。
【０００３】
白抜けなどの画像品位の低下を防止するために、特許文献１では一時停止時に記録媒体がズレた分、逆搬送して白抜けが起きないように画像ドットを形成する技術が提案されている。
【先行技術文献】
【特許文献】
【０００４】
【特許文献１】特開２０１１−２３０４２８号公報
【発明の概要】
【発明が解決しようとする課題】
【０００５】
しかし、従来技術では、１ドット以下の精度で記録媒体を搬送する必要があり、高精度な搬送モータや記録媒体の位置を高精度に検出する技術が必要である。そのため、装置のコストが増大するという課題があった。
【０００６】
本発明は、このような従来の技術に存在する課題に鑑みてなされたものであり、コスト増を抑えつつ、記録媒体の搬送を一時停止することに伴って所定の画像の画像品位が低下することを抑制することができる画像記録装置、情報処理装置、画像記録システムおよび画像作成方法を提供することを目的とする。
【課題を解決するための手段】
【０００７】
上記課題を解決するため、本発明に係る画像記録装置は、搬送される記録媒体に画像記録を行う記録手段と、搬送中の記録媒体への前記記録手段による記録が途中で停止される記録位置の画像が所定の画像となる場合に、前記所定の画像を前記記録位置から外れるように変更する変更手段と、を有する画像記録装置である。
【０００８】
また本発明に係る情報処理装置は、搬送される記録媒体に対し記録手段により画像記録を行う画像記録装置に画像を送信する情報処理装置であって、前記画像記録装置で搬送中の記録媒体への記録が途中で停止される記録位置の画像が所定の画像となる場合に、前記所定の画像を前記記録位置から外れるように変更する変更手段、を有する情報処理装置である。
【０００９】
また本発明に係る記録システムは、搬送される記録媒体に対し記録手段により画像記録を行う画像記録装置と、前記画像記録装置に画像を送信する情報処理装置とで構成される画像記録システムであって、搬送中の記録媒体への前記記録手段による記録が途中で停止される記録位置の画像が所定の画像となる場合に、前記所定の画像を前記記録位置から外れるように変更する変更手段を有する、画像記録システムである。
【００１０】
また本発明に係る画像作成方法は、搬送される記録媒体に記録される画像を作成する画像作成方法であって、搬送中の記録媒体への記録が途中で停止される記録位置の画像が所定の画像となる場合に、前記所定の画像を前記記録位置から外れるように変更する、画像作成方法である。
【発明の効果】
【００１１】
本発明によれば、コスト増を抑えつつ、記録媒体の搬送を一時停止させることに伴って所定の画像の画像品位が低下することを抑制することができる。
【図面の簡単な説明】
【００１２】
【図１】画像記録装置の主要部を示す断面図である。
【図２】記録後にカットする方式の流れを示す図である。
【図３】記録中にカットする方式の流れを示す図である。
【図４】画像の回転処理を示す図である。
【図５】画像記録装置の制御部のブロック図である。
【図６】制御部の処理フローを示す図である。
【図７】画像の回転処理を示す図である。
【発明を実施するための形態】
【００１３】
以下、図面を参照して本発明の実施形態を詳細に説明する。
【００１４】
図１は、本実施形態における画像記録装置の主要部を示す断面図である。本実施形態では、画像記録装置の例として、インクジェット方式でロール状の記録媒体に画像情報を記録するプリンタを用いて説明する。
【００１５】
プリンタ１００はプリンタ本体１０１と、プリンタ本体１０１に記録媒体を給送する給送ユニット１０５で構成される。記録媒体Ｐに記録する記録データは、ホストコンピュータ（以下、ホストＰＣともいう）７００からプリントケーブル７０１を介してプリンタ本体１０１に送信される。プリンタ本体１０１は、各種設定を行ったり、プリンタ１００の状態を操作者に通知するための操作パネル１０３を備えている。
【００１６】
プリンタ本体１０１は、記録媒体Ｐの幅全体に亘って複数の吐出口を配列した４色の記録ヘッド１０を備えており、記録媒体Ｐに対してフルカラーで画像を記録することができる。記録ヘッド１０の下には、上から順番に記録ヘッド１０の吐出口を保護するキャップユニット１１、記録媒体Ｐを搬送する搬送ユニット２０、記録ヘッド１０にインクを供給する４色のインクタンク３０、キャップユニット１１に回収されたインクを貯留する回収タンク４０を備えている。
【００１７】
給送ユニット１０５にセットされた記録媒体Ｐは、不図示の給送モータによる駆動力により給送ローラを駆動することでプリンタ本体１０１に（矢印Ａ方向）給送される。
【００１８】
プリンタ本体１０１に給送された記録媒体Ｐは入口センサ２２で検出され、不図示の搬送モータの駆動力により回転駆動された搬送ベルト２１により記録ヘッド１０の位置に搬送される。搬送ベルト２１には吸着孔が設けられており、搬送ベルト２１の下に設けられた不図示の吸着ファンに吸気されることで記録媒体Ｐが搬送ベルト２１上に吸着される。
【００１９】
また、搬送ベルト２１の回転に同期して回転する不図示のエンコーダにより、記録媒体Ｐの搬送位置が制御される。
【００２０】
記録ヘッド１０による記録が行われた記録媒体Ｐは、出口センサ２３で検出され、記録ページの後端がカッターユニット５０の切断位置に到達した時点で搬送を停止する。そして、カッターにより記録ページの後端部が切断された後、排出される。
記録媒体Ｐを切断するタイミングは２通りある。１ページ毎に画像記録と切断を交互に行う方法と、次のページの画像記録の途中で前のページの切断を行う方法である。
【００２１】
図２は、１ページ毎に画像記録と切断を交互に行う方法の流れを示す図である。図２の記録データはテキスト領域４０１とバーコード領域４０２で構成されている。
【００２２】
図２（ａ）は１ページの画像記録を終了した状態を示しており、この後次のページの記録は行わずに、画像の後端が切断位置に到達するまで記録媒体を搬送する（図２（ｂ）の状態）。この位置でカッターを駆動して記録媒体Ｐを切断し（図２（ｃ）の状態）、記録媒体の新しい先端が記録ヘッドの手前に戻るように逆方向に搬送する（図２（ｄ）の状態）。
【００２３】
このように１ページ毎に画像記録と切断を交互に行う方法では、先行するページの画像記録終了から後続するページの画像記録開始までの間に、切断のための搬送動作が入る。搬送動作の分、画像記録のスループットは低下してしまうが、画像記録の途中で一時停止させないので、ページ全体の画像品位を保つことができる。
図３は、次のページの画像記録の途中で前のページの切断を行う方法の流れを示す図である。
【００２４】
図３（ａ）は１ページの画像記録を終了した状態を示しており、この後記録したページの後端が切断位置に到達するまで次のページの記録を続けて行う（図３（ｂ）の状態）。この位置で記録媒体Ｐの搬送と次のページの画像記録は一時停止させ、カッターを駆動して前のページの後端側を切断する（図３（ｃ）の状態）。切断が終わると記録媒体Ｐの搬送と次のページの画像記録を再開させる（図３（ｄ）の状態）。
【００２５】
このように次のページの画像記録の途中で前のページの切断を行う方法では、後続するページの画像記録を行いながら途中で切断動作を挿入するので、画像記録のスループットを向上させることができるが、画像記録を一時停止した際に白抜けが発生する可能性がある。一時停止の位置にバーコードや顔写真など所定以上の画質を要求する画像（以下、所定の画像とも言う）が無く、記録速度を重視する場合は、図３で説明した方法でも良いが、一時停止の位置にバーコードや顔写真など所定以上の画質を要求する画像が有る場合、従来は、図２のように１ページ毎に画像記録と切断を交互に行う方法を取るか、先行特許文献１のように、一時停止の位置で白抜けが発生しないように高精度の搬送を行う必要があった。
【００２６】
本発明では、コスト増を抑えつつ記録媒体の搬送を一時停止することに伴って所定の画像の画像品位が低下することを抑制することができるよう、図４に示す方法で画像記録を行う。
図４は、本実施形態における画像の回転処理を示す図である。
【００２７】
本実施形態では、一時停止の位置に所定の画像（例えばバーコード）があるかどうかを判定し、所定の画像がある場合は、画像全体を１８０度回転させた画像を記録するようにする。
【００２８】
図４（ａ）に示すように、先行するページの後端を切断する位置で一時停止した場合に、バーコード領域４０２が記録途中で停止してしまうため、バーコードに白抜けが発生する可能性がある。そのため、図４（ｂ）に示すように画像全体を１８０度回転させて記録を行う。これによって、バーコード領域４０２が一時停止位置から外れるので、バーコードのように所定以上の画質を要求する画像の画像品位の低下を抑制することができる。
図５は、プリンタ１００の制御部６００の構成を示すブロック図である。プリンタ全体を制御するＣＰＵ６０１は、ＲＯＭ６０２、ＲＡＭ６０３を内蔵している。ＲＯＭ６０２は、画像記録を行うための各種プログラムやデータが書き込まれた読み取り専用の記憶素子である。ＲＡＭ６０３は、書き込み、消去が可能な記憶素子であって、ＲＯＭ６０２から読み出したプログラムが保持され、画像記録の過程で発生する処理データや演算結果が随時書き込み、消去される。ＥＥＰＲＯＭ６０４は装置や操作者の設定値を保存するための記憶領域である。
【００２９】
ＣＰＵ６０１は操作パネル１０３を介して操作者の指示を受け付けたり、操作者へプリンタ１００の動作状態を通知する。
【００３０】
ＣＰＵ６０１はホストＰＣ７００から入力された記録データを、画像処理回路６０５で記録ヘッド１０から吐出するインクの吐出情報に変換する。そしてヘッド駆動回路６０６を介して記録ヘッド１０を駆動し記録媒体上にインクを吐出させる。
【００３１】
ＣＰＵ６０１は、画像処理、ヘッド駆動と並行して、給送ユニット１０５から記録媒体を給送する。ＣＰＵ６０１は、モータドライバ６０７を介して給送モータ６０９を駆動し、記録媒体をプリンタ本体１０１に給送する。プリンタ本体１０１に給送された記録媒体が入口センサ２２で検知されると、ＣＰＵ６０１はモータドライバ６０７を介して搬送モータ６０８を駆動し、記録媒体を記録ヘッド１０の位置まで搬送する。
【００３２】
ＣＰＵ６０１は、記録媒体が記録ヘッド１０に到達するタイミングで、記録ヘッド１０からインクを吐出させて記録を行う。
【００３３】
１ページ毎に画像記録と切断を交互に行う方法の場合は、画像が記録されたページの後端が出口センサ２３を通過し、カッターユニット５０の切断位置に到達すると、ＣＰＵ６０１は搬送モータの駆動を停止させる。そしてモータドライバ６０７を介してカッターモータ６１０を駆動し、記録媒体を切断した後、記録媒体を記録ヘッド１０の位置まで搬送する。
【００３４】
次のページの画像記録の途中で前のページの切断を行う方法の場合は、先行するページの後端が切断位置に到達した時点で後続するページの画像記録を一時停止し、記録媒体を切断した後、後続するページの画像記録を再開させる。
以下の制御は、ＣＰＵ６０１がＲＯＭ６０２に記憶された処理プログラムを実行することで実施される。
【００３５】
図６は、ＣＰＵ６０１が実行する回転処理の流れを示したフローチャートである。
【００３６】
操作者から画像記録の指示があると、ステップＳ１０１でＣＰＵ６０１は、画像記録が画質優先モードかどうかを判定する。操作者は、画像品位を重視する画質優先の記録か（図２の方式）、スループットを重視する速度優先の記録か（図３の方式）、をホストＰＣ７００または操作パネル１０３で設定することができる。
【００３７】
ステップＳ１０１で画質優先モードであった場合は、図２に示したように１ページ毎に画像記録と切断を交互に行う。そのためステップＳ１０２でＣＰＵ６０１は、まず１ページ分の画像記録を行い、ステップＳ１０３で記録したページの後端が切断位置にくるよう搬送する。そしてステップＳ１０４でＣＰＵ６０１はカッターユニット５０を駆動して記録したページの後端を切断し、ステップＳ１０５で切断後の記録媒体Ｐの先端が記録ヘッド１０より上流側に戻るよう搬送ベルト２１を逆搬送する。そしてステップＳ１０６で次のページの記録画像があるかどうか（全ページの記録を終了したかどうか）を判定し、次のページがある場合はステップＳ１０２に戻る。
【００３８】
ステップＳ１０１で画質優先モードでない（速度優先の記録）場合は、図３に示したように次のページの画像記録の途中で前のページの切断を行うためステップＳ１０７に進む。本実施形態では、この場合にまずステップＳ１０７でＣＰＵ６０１は画像記録の途中で停止することになる位置に、バーコード領域４０２があるかどうかを判定する。この判定は、例えばホストＰＣ７００から送られてくる画像データの属性情報にバーコードの有無が設定されてくるようにしておく。記録ヘッド１０とカッターユニット５０の切断位置との距離はプリンタ本体１０１固有の情報なので、その距離情報をホストＰＣ７００上の画像編集アプリケーションが予め取得し、記録する画像の切断位置にバーコードが有るかどうかを判定し、画像データ送信時に情報を付与するようにする。
【００３９】
ＣＰＵ６０１はバーコードの有無情報で有りが設定されていることが取得された場合は、ステップＳ１０８に進み、画像データを１８０度回転させる。バーコードの有無情報で有りが設定されていない場合は、回転せずにステップＳ１０９に進む。
【００４０】
次のページの画像記録の途中で前のページの切断を行う方法の場合、画像記録の１ページ目の後端は切断しないため、ステップ１０９でＣＰＵ６０１は今回の記録ページが１ページ目かどうかを判定する。今回の記録ページが１ページ目である場合はステップＳ１１０に進み、１ページ分の画像記録を行う。そしてステップＳ１１４で次のページの記録画像があるかどうかを判定し、次のページがある場合は、ステップＳ１０７に戻る。２ページ目以降も同様にバーコードの有無情報に従って回転処理を行い、ステップＳ１１１に進む。
【００４１】
ステップＳ１１１でＣＰＵ６０１は、一時停止の位置までの前半の画像を記録する。その後、搬送および画像記録を停止し、ステップＳ１１２でＣＰＵ６０１はカッターユニット５０を駆動して記録済みの前のページの後端を切断する。そして、ステップＳ１１３で搬送および画像記録を再開し、今回のページの残りの後半の画像を記録する。
【００４２】
最後にステップＳ１１４で次のページがない場合は、ステップＳ１１５に進み、最終ページの後端の切断位置まで搬送し、記録媒体を切断して終了する。
【００４３】
本実施形態に従えば、ステップＳ１０７、Ｓ１０８において停止位置にバーコードが有る画像の場合は、画像を予め１８０度回転しておくため、一時停止することによってバーコード領域に白抜け（画像品位の低下）が発生することを抑制することができる。
【００４４】
なお、本実施形態では、停止位置にバーコード領域があるかどうかを判定したが、バーコードだけでなく、図７に示すように、顔写真なども含めて高画質を要求される画像が停止位置にあるかどうかを判定するようにしても良い。図７の例では、顔写真とバーコードを、高画質を要求される画像として設定しており、図７（ａ）では顔写真の高画質領域が記録の停止位置にあるため、図７（ｂ）に示すように画像全体を１８０度回転させる。回転の結果、図７（ｂ）に示すようにバーコードの高画質領域は記録の停止位置にならないため、この回転が有効である。回転の結果、高画質を要求される別の領域が停止位置にくる可能性もあるため、１８０度回転した結果も含めて判定し、図７（ｂ）のように、回転した結果、高画質を要求される画像が停止位置にこない場合のみ回転するようにしても良い。回転させても高画質を要求される画像が停止位置にくる場合は、図２で説明したように、１ページ毎に画像記録と切断を交互に行うようにしても良い。
【００４５】
また、画像を１８０度回転した結果、高画質を要求される別の領域が停止位置にくる場合は、スループットを落として高画質を要求される領域を避けるように停止位置を前倒したり、遅らせたりしても良い。
【００４６】
また、記録媒体が正方形の場合は、回転させる角度は１８０度だけでなく、９０度や２７０度でも良く、記録する画像が円形の場合は、その他の角度でも良い。
【００４７】
また、本実施形態では、画像全体を１８０度回転させることで、バーコードのように所定の画像が停止位置から外れるように変更したが、停止位置以外の場所に所定の画像を移動させることができる余白領域がある場合は、画像全体を回転させずに、所定の画像のみを余白領域に移動させるようにしても良い。例えば、図３の例では、バーコード領域４０２の記録ヘッド１０側（図の右側）に余白領域があるため、バーコード領域４０２を図の右側に移動させることで、停止位置から外れさせることができる。
【００４８】
また、停止位置以外の場所に所定の画像を移動させることができる余白領域がない場合には、所定の画像を縮小して停止位置から外れるようにするか、または所定の画像以外を縮小させることで所定の画像を移動させることができる余白領域を作るようにしても良い。
【００４９】
また、回転、移動、縮小のいずれの変更を行っても、所定の画像が停止位置にくる場合は、図２で説明したように１ページ毎に画像記録と切断を交互に行うようにしても良い。
【００５０】
また、本実施形態では、画像の回転処理はプリンタ本体１０１のＣＰＵ６０１（変更手段）が行ったが、ホストＰＣ７００のＣＰＵが画像編集アプリケーション内で行っても良い。
【００５１】
また、停止位置に所定の画像があるかどうかの判定をホストＰＣ７００のＣＰＵ（判定手段）で行い、判定結果を取得したプリンタ本体１０１のＣＰＵ６０１（取得手段）が画像の回転処理（変更処理）を行うような画像記録システムで構成することも可能である。
【００５２】
また、本実施形態では、画質優先モードでない場合に、停止位置に所定の画像があるかどうかの判定を行ったが、画像の回転処理（変更処理）を許容するか否かを設定可能とし、許容する設定である場合に、停止位置に所定の画像があるかどうかの判定を行うようにしても良い。その場合、画像の回転処理（変更処理）を許容しない設定のときは、停止位置に所定の画像があっても変更できないので、図２で説明したように１ページ毎に画像記録と切断を交互に行う。
【００５３】
また、記録ヘッド１０が４色ある場合、カッターユニット５０の切断位置と、インクが記録される位置との距離は色毎に異なる。そのため、停止位置に所定の画像があるか否かの判定は、色毎に行うようにしても良い。
【００５４】
また、本実施形態では、画像記録後にカッターユニットでロール状の記録媒体を切断する例を用いて説明したが、画像記録を一時停止する要因は記録媒体の切断でなくても良い。例えば、ＲＦＩＤなどの無線でカードに情報を書き込む装置が付属している場合で画像記録を一時停止するケースに適用することも可能である。
【符号の説明】
【００５５】
１００  プリンタ（画像記録装置）
１０１  プリンタ本体
１０３  操作パネル
１０５  給送装置
６０１  ＣＰＵ（変更手段、取得手段）
１０    記録ヘッド（記録手段）
５０    カッターユニット
Ｐ      記録媒体
７００  ホストコンピュータ（情報処理装置）
【図１】
2019022945.tif 000003
【図２】
2019022945.tif 000004
【図３】
2019022945.tif 000005
【図４】
2019022945.tif 000006
【図５】
2019022945.tif 000007
【図６】
2019022945.tif 000008
【図７】
2019022945.tif 000009